(57)【要約】  空気圧式廃棄物搬送システムにおける方法であって、搬送システムは、廃棄物材料の少なくとも１つの投入点６１と、投入点６１に接続することができる材料搬送パイプ１００と、搬送される材料を搬送空気から分離する分離装置又はコンテナー２５と、また、少なくとも材料の搬送中に搬送パイプ１００内で圧力差及び／又は搬送空気流を達成する、少なくとも１つの真空源を含む手段とを備える。本方法では、真空源１は、車両又はトレーラー等の移動手段２内に配置され、廃棄物搬送システムに接続され、廃棄物材料の移送に必要とされる部分真空／圧力差がシステム内で達成され、その場合、廃棄物材料は搬送配管１００、１００Ａ、１００Ｂ、１００Ｃ、１００Ｄ、１００Ｅ、１００Ｆに沿って、真空源を移動させる手段２とは別個のコンテナーであるコンテナー２５へ移送される。【選択図】図２
2013534498.tif 000002
【特許請求の範囲】
【請求項１】
空気圧式廃棄物搬送システムにおける方法であって、該搬送システムは、廃棄物材料の少なくとも１つの投入点（６１）と、該投入点（６１）に接続することができる材料搬送パイプ（１００）と、搬送される前記材料を搬送空気から分離する分離装置又はコンテナー（２５）と、また、少なくとも材料の搬送中に前記搬送パイプ（１００）内で圧力差及び／又は搬送空気流を達成する、少なくとも１つの真空源を含む手段とを備え、
前記真空源（１）は、車両又はトレーラー等の移動手段（２）内に配置され、廃棄物搬送システムに接続され、廃棄物材料の移送に必要とされる部分真空／圧力差が前記システム内で達成され、その場合、廃棄物材料は前記搬送パイプ（１００、１００Ａ、１００Ｂ、１００Ｃ、１００Ｄ、１００Ｅ、１００Ｆ）に沿って、前記真空源を移動させる前記手段（２）とは別個のコンテナーである前記コンテナー（２５）へ移送されることを特徴とする、空気圧式廃棄物搬送システムにおける方法。
【請求項２】
前記方法において、前記コンテナー（２５）は空にするために前方へ第２の運搬手段により移送されることを特徴とする、請求項１に記載の方法。
【請求項３】
前記方法において、前記移動手段（２）を移動させるのに用いられる駆動装置（３２）を用いて、前記真空源（１）の部分真空発生器（３１）が必要とする駆動力の少なくとも一部を作り出すことを特徴とする、請求項１に記載の方法。
【請求項４】
エネルギーネットワークからその駆動力を受ける駆動装置（３２）を用いて、前記真空源の前記部分真空発生器（３１）が必要とする駆動力の少なくとも一部を作り出すことを特徴とする、請求項１乃至３のいずれか一項に記載の方法。
【請求項５】
前記真空源（１）は複数の異なる廃棄物搬送システムの前記真空源として用いられ、その場合、前記真空源（１）は、各廃棄物搬送システムに近接した前記移動手段（２）により移送され、接続手段によって前記廃棄物搬送システムに接続されることを特徴とする、請求項１乃至４のいずれか一項に記載の方法。
【請求項６】
前記廃棄物搬送システムと接続している前記真空源（１）の動作間隔は、前記コンテナー（２５）を空にする間隔よりも長いことを特徴とする、請求項１乃至５のいずれか一項に記載の方法。
【請求項７】
前記材料搬送配管は、少なくとも主搬送パイプ（１００）と、該主搬送パイプ（１００）に接続することができる分岐搬送パイプ（１００Ａ、１００Ｂ、１００Ｃ、１００Ｄ、１００Ｅ、１００Ｆ）とを含むことを特徴とする、請求項１乃至６のいずれか一項に記載の方法。
【請求項８】
前記方法において、廃棄物材料を、材料の前記投入点（６１）から前記搬送パイプ（１００）内に給送し、前記投入点は、廃棄物容器又は廃棄物シュート等の廃棄物の前記投入点であることを特徴とする、請求項１乃至７のいずれか一項に記載の方法。
【請求項９】
前記方法において、前記廃棄物搬送システムは特定エリア又は用地の廃棄物搬送システムであることを特徴とする、請求項１乃至８のいずれか一項に記載の方法。
【請求項１０】
廃棄物材料は、廃棄物投入点（６１）の後、かつ前記搬送パイプ（１００）の前に、重力、及び／又は前記真空源（１）が作り出す吸引若しくは前記圧力差によって少なくとも部分的に、材料成形機（６４）、好ましくは回転成形機に導くことによって、形を整えられることを特徴とする、請求項１乃至９のいずれか一項に記載の方法。
【請求項１１】
廃棄物搬送システムであって、該搬送システムは、廃棄物材料の少なくとも１つの投入点（６１）と、該投入点（６１）に接続することができる材料搬送パイプ（１００）と、搬送される前記廃棄物材料を搬送空気から分離する分離装置又はコンテナー（２５）と、また、少なくとも材料の搬送中に前記搬送パイプ（１００）内で圧力差及び／又は搬送空気流を達成する、少なくとも１つの真空源を含む手段とを備え、前記真空源（１）は、車両又はトレーラー等の移動手段（２）内に配置され、その部分真空発生器の吸引側を材料搬送システムに接続する接続手段を備えており、そのため、材料の移送に必要とされる部分真空／圧力差が達成されて、廃棄物材料を前記搬送パイプ（１００、１００Ａ、１００Ｂ、１００Ｃ、１００Ｄ、１００Ｅ、１００Ｆ）に沿って、前記真空源を移動させる前記手段（２）とは別個のコンテナーである前記コンテナー（２５）へ移送することができることを特徴とする、廃棄物搬送システム。
【請求項１２】
前記コンテナー（２５）は運搬コンテナーであり、空にするために外方へ運搬手段により運搬されるように適合されていることを特徴とする、請求項１１に記載のシステム。
【請求項１３】
前記移動手段（２）の駆動装置（３２）は、前記真空源（１）の部分真空発生器（３１）が必要とする駆動力の少なくとも一部を作り出すように適合されていることを特徴とする、請求項１１又は１２に記載のシステム。
【請求項１４】
前記駆動装置（３２）は、エネルギーネットワークからその駆動力を受けるように、また、前記真空源の前記部分真空発生器（３１）が必要とする駆動力の少なくとも一部を作り出すように適合されていることを特徴とする、請求項１１又は１２に記載のシステム。
【請求項１５】
前記真空源（１）は複数の異なる廃棄物搬送システムの真空源として機能するように適合されており、そのため、前記真空源は、各廃棄物搬送システムに近接した前記移動手段（２）により移送されて、接続手段によって前記廃棄物搬送システムに接続されることを特徴とする、請求項１１乃至１４のいずれか一項に記載のシステム。
【請求項１６】
廃棄物材料の前記投入点（６１）は、廃棄物容器又は廃棄物シュート等の廃棄物の前記投入点であることを特徴とする、請求項１１乃至１５のいずれか一項に記載のシステム。
【請求項１７】
前記材料搬送配管は、少なくとも主搬送パイプ（１００）と、該主搬送パイプ（１００）に接続することができる分岐搬送パイプ（１００Ａ、１００Ｂ、１００Ｃ、１００Ｄ、１００Ｅ、１００Ｆ）とを含むことを特徴とする、請求項１１乃至１６のいずれか一項に記載のシステム。
【請求項１８】
前記廃棄物搬送システムは特定エリア又は用地の廃棄物搬送システムであることを特徴とする、請求項１１乃至１７のいずれか一項に記載のシステム。
【請求項１９】
前記システムにおいて、前記コンテナー（２５）は、地上高さ位置へ／地上高さ位置から、該コンテナーの上昇／下降装置（２００）によって上昇／下降するように構成されることを特徴とする、請求項１１乃至１８のいずれか一項に記載のシステム。
【請求項２０】
接続手段（２９）が前記搬送パイプ（１００）に形成されており、分岐連結部（２６）のカウンターパート（２７）が前記コンテナー（２５）の上部に形成されており、前記接続手段（２９）及び前記カウンターパート（２７）はともにクイックカップリングを形成し、その場合、前記クイックカップリングは前記コンテナー（２５）の上昇及び下降の際に自動的に開く及び／又は閉じることを特徴とする、請求項１９に記載のシステム。
【請求項２１】
前記コンテナー（２５）にはプレス機が設けられることを特徴とする、請求項１１乃至２０のいずれか一項に記載のシステム。
【請求項２２】
材料成形機（６４）、好ましくは回転成形機が、廃棄物投入点（６１）と接続して、又は該廃棄物投入点（６１）の後、かつ前記搬送パイプ（１００）の前に配置されることを特徴とする、請求項１１乃至２１のいずれか一項に記載のシステム。
【請求項２３】
廃棄物搬送システム用の真空源であって、部分真空発生器と、該部分真空発生器の駆動装置と、また、該真空源を材料搬送システムに接続する手段とを備え、該真空源（１）は、車両又はトレーラー等の移動手段（２）内に配置されることを特徴とする、廃棄物搬送システム用の真空源。
【請求項２４】
前記移動手段は車両であり、該移動手段の前記駆動装置（３２）は、前記真空源（１）の前記部分真空発生器（３１）が必要とする駆動力の少なくとも一部を作り出すように適合されていることを特徴とする、請求項２３に記載の真空源。
【請求項２５】
前記真空源の前記駆動装置（３２）は電気モーターであり、その駆動力をエネルギーネットワークから受けるように、また、前記真空源の前記部分真空発生器（３１）が必要とする駆動力の少なくとも一部を作り出すように適合されていることを特徴とする、請求項２３に記載の真空源。
【請求項２６】
前記真空源の前記部分真空発生器（３１）の駆動シャフト（３３）が、クイックカップリング（３４、３６）によって前記移動手段（２）の前記駆動装置（３２）から出ているカルダンシャフト（３５）に接続されるように構成されることを特徴とする、請求項２３又は２４に記載の真空源。
【請求項２７】
前記移動手段（２）は少なくとも部分的に電動式の駆動モーターにより動作する車両であり、該駆動モーターの蓄電池は前記真空源が用いられると充電するように適合されていることを特徴とする、請求項２３乃至２６のいずれか一項に記載の真空源。
【発明の詳細な説明】
【技術分野】
【０００１】
本発明の対象は、請求項１のプリアンブルに規定される空気圧式廃棄物搬送システムにおける方法である。
【０００２】
本発明の対象はまた、請求項１１のプリアンブルに規定される廃棄物搬送システムである。
【０００３】
本発明の対象はまた、請求項２３のプリアンブルに規定される廃棄物搬送システム用の真空源である。
【０００４】
本発明は、包括的には、部分真空搬送システム等の空気圧式材料搬送システムに関し、より詳細には、家庭廃棄物の搬送等の廃棄物の収集及び搬送に関する。
【背景技術】
【０００５】
廃棄物が吸引及び／又は搬送空気によって配管内を搬送されるシステムが当該技術分野で知られている。これらのシステムでは、廃棄物は、配管内の長い距離を吸引及び／又は圧力差によって搬送空気とともに空気圧式に搬送される。装置は特に、様々な施設における廃棄物の搬送に用いられる。圧力差を達成するために部分真空装置が使用されることが、これらのシステムにとって一般的であり、この装置では、部分真空が、真空ポンプ又はエジェクター装置等の部分真空発生器によって搬送パイプ内で達成される。搬送パイプは通常、少なくとも１つの弁手段を備え、弁手段を開閉することによって、搬送パイプ内に入る補充空気が調節される。地域の新たな建築プロジェクトの好都合な解決策のうちの１つが、パイプ運搬システムによって機能する廃棄物管理である。このことは、分類された廃棄物が地下のパイプに沿って地域全体に共通の廃棄物ステーションまで吸引されることを意味する。このシステムは、清潔であり、無臭かつ無騒音であり、また従来の廃棄物管理よりも環境に優しい解決策であり、隣接するエリアの観点からすればより安全である。廃棄物の運搬に空気圧式パイプ運搬システムを用いることが決定された地域の建築現場では、通常、建設プロジェクト全体がゆっくりと段階を踏んで進むとしても、完成のために搬送配管と、地域の共有の廃棄物ステーションとを作り上げる必要がある。この場合、建設プロジェクトは数年又は更には数十年続く可能性があるが、搬送配管及び廃棄物ステーションに関してシステムを完成させるように作り上げることが必要である。一方で、このシステムの配管及び廃棄物ステーションの容量は、将来的な特定の時期に実現される利用者の人数を考慮して準備が整えられている。廃棄物ステーションは通常、配管内で圧力差を達成する手段、例えば、真空ポンプ又は同等物等の部分真空発生器も備えるものと考えられる。この場合、建設プロジェクトの初期段階において、システムには設計された全容量が数年間はまだ必要とされないとしても、設備への相当な投資を行う必要がある状況に直面する。他方で、事務所用地、商業用地、産業用地、特に住宅用地等の多数の非常に小さな現場があり、これらの現場では、廃棄物のためのパイプ搬送の解決策を達成することが望まれているが、現場が各自の部分真空発生機器を備えることは経済的に実現可能ではない。部分真空システムの吸引装置がコンテナー車に接続されており、コンテナー車が定期的な間隔で、例えば毎日、廃棄物を自身のコンテナー内へ吸引しに行き、かつ廃棄物を運び去るシステムが、従来技術において知られている。これらのタイプの解決策は例えば特許文献１に提示されており、特許文献１では、真空手段が設けられている車両が、廃棄物シュートの下に配置されているコンテナーを空にしに行く。他方で、対応する解決策が特許文献２から知られており、特許文献２では、収集車に真空手段が設けられており、収集車がシステムの廃棄物を自身のコンテナー内へ吸引しに行く。この解決策の車両は通常、廃棄物の吸引、圧縮及び運搬のいずれも行う。車両は非常に大型であり、重量があり、かつ騒々しい音をたてる。これにより、必要とされる車両が古い市街中心部のような狭苦しいスペースでは使いにくくなる。加えて、必要とされる車両はコストが高くつくものとなる。
【先行技術文献】
【特許文献】
【０００６】
【特許文献１】欧州特許出願公開第００９３８２５号
【特許文献２】国際公開第２００６／１３５２９６号
【発明の概要】
【０００７】
本発明の目的は、従来技術の解決策の欠点を回避する、材料搬送システムに関連する新しい種類の解決策を達成することである。
【０００８】
本発明は、部分真空搬送システムの投入点が幹パイプにより運搬コンテナーに接続され、廃棄物を投入点から運搬コンテナー内へ移送するのに必要とされる真空が移動式真空源により達成され、この移動式真空源は、必要であれば、運搬コンテナーとは関係なく種々の搬送システム間を移動することができる、という概念に基づくものである。
【０００９】
本発明による方法は請求項１の特徴部に開示されているものを特徴とする。
【００１０】
本発明による方法はまた、請求項２乃至１０に記載されているものを特徴とする。
【００１１】
本発明による廃棄物搬送システムは請求項１１の特徴部に開示されているものを特徴とする。
【００１２】
本発明による材料搬送システムはまた、請求項１２乃至２２に記載されているものを特徴とする。
【００１３】
本発明による材料搬送システム用の真空源は請求項２３に開示されているものを特徴とする。
【００１４】
本発明による材料搬送システム用の真空源はまた、請求項２４乃至２７に記載されているものを特徴とする。
【００１５】
本発明による解決策は多くの重要な利点を有する。本発明によって、従来技術の解決策の欠点を回避することができる。移動式部分真空発生機器を複数の材料搬送システムと接続して効果的に用いて、材料の空気圧式運搬に必要とされる部分真空を達成することができる。この場合、個々の材料搬送システムにおいて専用の固定式部分真空発生機器は必要とされない。したがって、本システムにより、複数の材料搬送システム間での真空源の有効な作業時間の分割が可能となる。また、本システムにより、用地に役立てるものとして材料搬送システムの真空源を提供することが可能となる。加えて、本システムにより、複数の移動式真空源を用いることによって材料搬送を確実にする効果的な方法が可能となり、その場合、例えば、故障状態において、主要な真空源の代わりに第２の移動式バックアップ機器を容易に用いることができる。本発明による移動式真空源は、車両内に配置することができ、同時に廃棄物のためのスペースも必要とされないため、より狭苦しい場所においても機能するように適合されている。本発明による解決策により、真空源を動作させる頻度とコンテナーを空にする頻度とが異なることが効果的に可能となる。投入点に接続している材料成形機を用いて取り扱われる廃棄物材料をコンパクトにすることによって、より小さな直径の搬送配管を適用することができ、その場合、真空源の電力要件もより小さい。この場合、真空源はそのサイズ及び重量がより小さくなるように形成され、この場合、かなり小型の車両による移動が可能となる。コンテナー及び真空源は、本発明によれば、互いとは関係なく移動することができる。廃棄物は例えば毎日、別個のコンテナー内へ吸引することができる。別個のコンテナーは更に、例えば毎週、別個に運搬することによって空にすることができる。本発明による解決策では、中間のコンテナーを必要とせず、代わりに、廃棄物が運搬コンテナー内へ直接吸引され、コンテナーは次いで空にするために例えば埋立て用地又は何らかの他の廃棄物取扱い施設へ運ばれる。従来技術の解決策では電力出力は数百キロワットでなければならないのに対し、真空源は通常、例えば４５ｋＷ程度のモーター出力電力が供給されるファンであるものとすることができる。配管に対する接続部の直径が幾分大きい（４００ｍｍ乃至５００ｍｍ）ため扱いにくい従来技術の解決策に比べて、本発明による解決策では、真空源に対する接続に、直径が通常１００ｍｍ乃至１５０ｍｍ程度しかない吸引空気接続部が用いられる。
【００１６】
本発明による解決策は、１つ又は複数の搬送パイプを備える従来の材料搬送システム及び環状配管を備える材料搬送システムの双方において用いるのに適している。
【００１７】
以下、本発明を、添付図面を参照してその実施形態の例を用いてより詳細に説明する。
【図面の簡単な説明】
【００１８】
【図１】簡略図として本発明の一実施形態による１つのシステムを示す図である。
【図１ａ】本発明によるシステムの一部の簡略図である。
【図１ｂ】本発明によるシステムの第２の一部の簡略図である。
【図２】第２の動作段階にある本発明の一実施形態による１つのシステムの簡略図である。
【図２ａ】本発明による一部の簡略図である。
【図３】一動作段階にある本発明の一実施形態による１つのシステムの簡略図である。
【図４】本発明の一実施形態によるシステムの１つの装置の簡略図である。
【発明を実施するための形態】
【００１９】
図１は、材料搬送パイプ１００を備える空気圧式材料搬送システムの一部を示し、材料搬送パイプの側部に沿って、少なくとも１つの、通常は多くの投入点６１が配置されている。投入点６１は、搬送されることが意図される材料、より具体的には廃棄物材料の送り込みステーションであり、このステーションから、搬送されることが意図される材料、より具体的には家庭廃棄物等の廃棄物材料が搬送システム内に給送される。送り込みステーション６１は廃棄物シュートであるものとすることもでき、この廃棄物シュート内に、建物の様々な階の投入開口部から材料が給送される。システムは複数の送り込みステーション６１を備えることができ、この送り込みステーションから、搬送されることが意図される材料が搬送配管１００、１００Ａ、１００Ｂ、１００Ｃ、１００Ｄ、１００Ｅ内に給送される。送り込みステーション６１は図ではドットで示されており、この場合、送り込みステーションに接続している可能性のある弁手段６０等の遮断手段を開閉することによって材料を投入点６１から搬送パイプ１００内へ搬送することができる。図１ａは、本発明によるシステムの実施態様において用いられる１つの投入点６１と、この投入点の排出弁６０とをより詳細に示している。
【００２０】
図１ｂは、本発明によるシステムの投入点６１の第２の実施態様を示し、この第２の実施態様では、駆動装置６５によって駆動される材料成形機６４、好ましくは回転成形機も投入点に接続される。材料成形機によって、廃棄物材料をコンパクトにすることができるか、又は別様により良好に搬送パイプに適するように形を整えることができる。従来の搬送配管（材料成形機を伴わない）の直径が５００ｍｍ程度であるのに対し、材料成形機を用いることによって、搬送パイプの直径は通常、１５０ｍｍ乃至３００ｍｍ程度、好ましくは２００ｍｍ程度まで縮小することができる。材料成形機は、例えばフィンランド特許出願公開第２０１００２０３号、フィンランド特許出願公開第２０１０５１４５号及びフィンランド特許出願公開第２０１０５５７０号に提示されている。
【００２１】
投入点は、弁側が、搬送パイプ１００、又は搬送パイプに接続しているパイプに接続されている。通常、搬送配管は主搬送パイプ１００を備えており、複数の分岐搬送パイプ１００Ａ、１００Ｂ、１００Ｃ、１００Ｄ、１００Ｅ、１００Ｆが主搬送パイプに接続することが可能とされてきており、更に複数の送り込みステーション６１が分岐搬送パイプに接続することが可能とされてきている。搬送パイプ１００は、一実施態様では運搬コンテナーでもある収集コンテナー２５に接続することができる。接続手段２９が搬送パイプ１００に形成されており、分岐継手２６にあるカウンターパート２７がコンテナー２５の上部に形成されている。接続手段２９及びカウンターパート２７はともにクイックカップリングを形成する。図３の実施形態におけるような可撓性ホース部２８が搬送パイプ１００と接続部２９との間にあるものとすることができる。
【００２２】
第２の接続部２４がコンテナー２５に形成されており、第２の接続部２４へ、真空源から出ているパイプ又はホースをカウンターパート２３により接続することができる。
【００２３】
本発明によれば、真空源１は移動式である。図２の実施形態によれば、真空源１は車両２に配置されている移動式機器である。車両２を例えば小型ローリー若しくはバンとすることができるか、又は、真空源１を、車両によって牽引することができるトレーラー内に配置することができる。図２の真空源１は、真空ポンプのような部分真空発生器３１と、この部分真空発生器３１を駆動する駆動装置３２とを含むポンプユニット３を備える。部分真空発生器の吸引側は、第１の動作段階では媒体経路５を介してコンテナー２５に接続される。この場合では、材料をコンテナー２５及び搬送配管１００、１００Ａ、１００Ｂ、１００Ｃ、１００Ｄ、１００Ｅ、１００Ｆに搬送するのに必要とされる吸引／圧力差を達成することができる。部分真空発生器３１と運搬コンテナー２５との間には粒子分離器のような分離装置４があり、この分離装置において、搬送空気中の粒子の一部が例えば速度の低下及び遠心力に起因して搬送空気から分離される。分離された粒子は分離装置４の下部の底面に残り、そこから、それらの粒子を例えば運搬コンテナー内へ吹き出すことによって取り除くことができる。移動式真空源１は、コンテナー２５と、ホース２１に配置されているカウンターパート２３との第２の接続部２４に接続することができ、このホース２１は第２の端において、真空源の、カウンターパート２２との接続部１０につながれる。真空源１の接続部１０から分離装置４の上部にかけて媒体接続部１７がある。図の実施形態では、媒体接続部１７には弁手段１６が設けられている。また、第２の媒体接続部７が図の実施形態では分離手段４の上部に配置されており、この媒体接続部は弁６によって部分真空発生器３１の吸引側の媒体経路５に接続することができる。部分真空発生器３１の吹き出し側には出口ラインへの媒体経路１１があり、この媒体経路１１には図の実施形態では弁手段１２とフィルター手段及び音減衰手段１３とが設けられている。第２の実施形態によれば、出口ラインは、例えば移動式真空源の出口ラインに、外方への吹き出しパイプのための連結点を配置することによって、真空源から遠くへつなぐことができる。この場合、部分真空発生器に近接した、例えば道路の高さ位置での排出空気の外方への吹き出しは、外方への吹き出しパイプを例えば用地の屋上まで遠くにつなぐことによって回避することができる。移動式真空源の部分真空発生器の吹き出し側はこの場合では、例えばホース及びクイックカップリングによって外方への吹き出しパイプに接続することができる。
【００２４】
部分真空発生器は、必要であれば、媒体経路１１、１４、７を介して分離装置４に吹き込むように接続することができる。この場合、外方への吹き出しパイプの弁１２は閉じており、媒体経路１４における弁は開いている。吹き出しを用いて、例えば、分離装置４において収集された粒子をパイプ８に沿って接続部１０を介して部分真空発生器から、例えばコンテナー２５又は何らかの他の空いている場所に移送することができる。対応する接続部を介して、真空源を、コンテナー２５を介して又は直接、搬送配管１００内へ吹き出すようにさせることもできる。
【００２５】
真空源の駆動装置３２はモーター、例えば電気モーターとすることができる。必要とされる電気はこの場合では例えば、空にされる材料搬送システムに近接して最適に位置している、電力ネットワークのソケットから得られる。搬送車等の移動手段２もまた、電気モーターによって全体的に又は部分的に駆動することができ、その場合、その蓄電池は、部分真空発生器３１が用いられると同時に充電することができる。
【００２６】
図４の実施形態では、部分真空発生器の駆動装置３２は車両２のモーターである。車両のカルダンシャフトが、クイックカップリング３６、３８によって互いに接続することができる２つの部品３５、３７から形成されている。カルダンシャフトの第１の部品３５が、クイックカップリング３６、３８から分離したときに第２のクイックカップリングを介して部分真空発生器３１の駆動シャフト３３への接続に移る（カルダンシャフトの第１の部品３５のこの位置は図４において点線で示されている）ことができるように、部分真空発生器３１の駆動シャフト３３が配置されている。この場合、車両２のモーターを部分真空発生器３１の駆動装置３２として用いることができる。図４の実施態様によれば、部分真空発生器は、電流が電力ネットワークから利用可能でない場合であっても作業現場において使用することができる。
【００２７】
送り込まれる材料は、搬送配管１００、１００Ａ、１００Ｂ、１００Ｃ、１００Ｄに沿ってコンテナー２５に搬送され、このコンテナー２５において、移送される材料が例えば速度の低下及び遠心力に起因して搬送空気から分離される。
【００２８】
図１の実施形態では、ライン弁１０１Ａ、１０１Ｂ、１０１Ｃ、１０１Ｄ、１０１Ｅ、１０１Ｆによって主搬送パイプ１００に対して分離又は接続することができる複数の分岐パイプ１００Ａ、１００Ｂ、１００Ｄ、１００Ｅ、１００Ｆが、主搬送パイプ１００に接続されている。この場合、搬送配管の特定のエリアの投入点６１を空にすること、及びそれらの材料を搬送配管に沿ってコンテナー２５内へ搬送することを調節することができる。搬送配管は異なる形状を有することもできる。搬送配管及び真空源は、一実施形態によれば、回路を含むように接続することができ、その場合、真空源の吹き出し側もまた、搬送空気を回路内で循環させることができるように搬送配管により媒体接続部に接続することができる。
【００２９】
コンテナー２５は、地表面上、又は別個のスペース、例えば図１及び図２の実施形態に従って地表面下に、図３に従って配置することができる。コンテナー２５は、空にするために、通常のローリー又は何らかの他の車両により運搬することができる。上昇／下降装置２００が地下現場に接続されている。上昇／下降装置は、真空源をコンテナーのカウンターパートに接続する遮断手段２０２が設けられている開口部２０１を含む。コンテナー２５は、満杯になると、空にするために運ばれるように、昇降装置２００により例えば地上の高さ位置まで上昇する。対応して、空になったコンテナーはその現場に置かれ、上昇／下降装置により下降して戻る。他方で、運搬目的から空にするために、コンテナーを例えば地上の高さ位置まで下降させることが考えられ得る。接続手段２９が搬送パイプ１００に形成されており、分岐連結部２６のカウンターパート２７がコンテナー２５の上部に形成されている。接続手段２９及びカウンターパート２７はともに、例えばクイックカップリングを形成し、その場合、クイックカップリングはコンテナーの上昇及び下降の際に自動的に開く及び／又は閉じる。
【００３０】
図は、通常のコンテナー２５を示しているが、コンテナー２５にはプレス機が設けられているものとすることもできるか、又は、その場合、現場が、コンテナーが接続されるプレス機を有することもできる。配管に適合しない大きなサイズの廃棄物を送り込むことが望まれる場合、充填開口部をコンテナー内に、例えばコンテナーの上部内に作ることもできる。この場合、大きなサイズの廃棄物はコンテナー内へ直接送り込まれるか、又はプレス機を介してコンテナー内へ搬送される。
【００３１】
部分真空発生器３１の吸引側が直接又は搬送空気ダクトを介してコンテナー２５に接続され、コンテナー２５に搬送パイプ１００の排出端が更に接続されると、部分真空が搬送パイプ１００内に作り出される。この場合、吸引は、コンテナーに接続している媒体経路を介して搬送パイプ１００内で作用する。エリア弁１０１Ａが主搬送パイプ１００と分岐搬送パイプ１００Ａとの間にあり、この弁はこの動作段階では開いている。この場合、吸引は、分岐搬送パイプ１００Ａにおいても作用することができる。図２による場合では、投入点６１において、黒色でマークされている点の弁手段６０を開くと、搬送されることが意図される材料バッチ（図２ａ）が、分岐搬送パイプ１００Ａ内へ、また進んで主搬送パイプ１００内へ移送される。搬送パイプ内への可能な補充空気が、例えば、搬送パイプへの弁６０を開くと投入点６１を介して流れ込む。投入点の弁６０が閉じているときは、搬送パイプ１００内へ補充空気を受け入れるようにライン弁１０１を開くことができる。
【００３２】
図２ａは、本発明によるシステムの投入点６１の一実施態様を示し、この実施態様では、駆動装置６５により駆動される材料成形機６４、好ましくは回転成形機もまた、投入点と接続している。材料成形機によって、廃棄物材料６６をコンパクトにすることができるか、又は別様に搬送パイプ１００Ａ、１００により良好に適するように形を整えることができる。本発明によるシステムでは、材料成形機を使用することによって、より小さな直径の搬送配管が達成され、その場合、対応して、真空源の電力要件がより小さい。
【００３３】
廃棄物材料が搬送配管１００Ａ、１００に沿ってコンテナー２５へ搬送され、コンテナー２５において、搬送空気が廃棄物材料から分離し、廃棄物材料が収集コンテナー２５内に残る（図２）。
【００３４】
空にされることを意図される投入点の全てが空にされて材料が分岐搬送パイプ１００Ａから搬送パイプ１００内へ搬送されると、エリア弁１０１Ａを閉じることができ、次に空にされることを意図されるエリアの分岐搬送パイプ１００Ｂのエリア弁１０１Ｂを開くことができる。図１及び図２に関して上述したやり方に対応するやり方で、この分岐搬送パイプの投入点が搬送パイプ１００Ｂ、１００内へ中身を空にされ、配管内に搬送され、進んでコンテナー２５へ搬送された後、分岐搬送パイプ１０１Ｂのエリア弁を閉じ、例えば分岐搬送パイプ１００Ｃのエリア弁１０１Ｃを開くことによって、空にされる次のエリアに移動することが可能である。空にするシーケンスは、望まれる投入点全てが空にされるまで続けられる。
【００３５】
したがって、本発明は、空気圧式廃棄物搬送システムにおける方法であって、搬送システムは、廃棄物材料の少なくとも１つの投入点６１と、投入点６１に接続することができる材料搬送パイプ１００と、搬送される材料を搬送空気から分離する分離装置又はコンテナー２５と、また、少なくとも材料の搬送中に搬送パイプ１００内で圧力差及び／又は搬送空気流を達成する、少なくとも１つの真空源を含む手段とを備える、空気圧式廃棄物搬送システムにおける方法に関する。本方法では、真空源１は、車両又はトレーラー等の移動手段２内に配置され、廃棄物搬送システムに接続され、廃棄物材料の移送に必要とされる部分真空／圧力差がシステム内で達成され、その場合、廃棄物材料は搬送配管１００、１００Ａ、１００Ｂ、１００Ｃ、１００Ｄ、１００Ｅ、１００Ｆに沿って、真空源を移動させる手段２とは別個のコンテナーであるコンテナー２５へ移送される。
【００３６】
一実施形態によれば、本方法において、コンテナー２５は空にするために前方へ第２の運搬手段により移送される。
【００３７】
一実施形態によれば、本方法において、移動手段２を移動させるのに用いられる駆動装置３２を用いて、真空源３の部分真空発生器３１が必要とする駆動力の少なくとも一部を作り出す。
【００３８】
一実施形態によれば、エネルギーネットワークからその駆動力を受ける駆動装置３２を用いて、真空源の部分真空発生器３１が必要とする駆動力の少なくとも一部を作り出す。
【００３９】
一実施形態によれば、真空源１は複数の異なる廃棄物搬送システムの真空源として用いられ、その場合、真空源１は、各廃棄物搬送システムに近接した移動手段２により移送され、接続手段によって廃棄物搬送システムに接続される。
【００４０】
一実施形態によれば、廃棄物搬送システムと接続している真空源１の動作間隔は、コンテナー２５を空にする間隔よりも長い。
【００４１】
一実施態様によれば、真空源は、車両に接続されていない別個のコンテナー２５内へ廃棄物を毎日吸引する。別個のコンテナーは別個に、例えば毎週空にされる。
【００４２】
一実施形態によれば、材料搬送配管は、少なくとも主搬送パイプ１００と、主搬送パイプ１００に接続することができる分岐搬送パイプ１００Ａ、１００Ｂ、１００Ｃ、１００Ｄ、１００Ｅ、１００Ｆとを含む。
【００４３】
一実施形態によれば、本方法において、廃棄物材料を、材料の投入点６１から搬送パイプ１００内に給送し、投入点は、廃棄物容器又は廃棄物シュート等の廃棄物の投入点である。
【００４４】
一実施形態によれば、本方法において、廃棄物搬送システムは特定エリア又は用地の廃棄物搬送システムである。
【００４５】
一実施形態によれば、廃棄物材料は、廃棄物投入点６１の後、かつ搬送パイプ１００の前に、重力、及び／又は真空源１が作り出す吸引若しくは圧力差によって少なくとも部分的に、材料成形機６４、好ましくは回転成形機に導くことによって、形を整えられる。
【００４６】
本発明はまた、廃棄物搬送システムであって、搬送システムは、廃棄物材料の少なくとも１つの投入点６１と、投入点６１に接続することができる材料搬送パイプ１００と、搬送される廃棄物材料を搬送空気から分離する分離装置又はコンテナー２５と、また、少なくとも材料の搬送中に搬送パイプ１００内で圧力差及び／又は搬送空気流を達成する、少なくとも１つの真空源を含む手段とを備える、廃棄物搬送システムに関する。真空源１は、車両又はトレーラー等の移動手段２内に配置され、その部分真空発生器の吸引側を材料搬送システムに接続する接続手段を備えており、そのため、材料の移送に必要とされる部分真空／圧力差が達成されて、廃棄物材料を搬送配管１００、１００Ａ、１００Ｂ、１００Ｃ、１００Ｄ、１００Ｅ、１００Ｆに沿って、真空源を移動させる手段２とは別個のコンテナーであるコンテナー２５へ移送することができる。
【００４７】
一実施形態によれば、コンテナー２５は運搬コンテナーであり、空にするために前方へ運搬手段により運搬されるように適合されている。
【００４８】
一実施形態によれば、移動手段２の駆動装置３２は、真空源３の部分真空発生器３１が必要とする駆動力の少なくとも一部を作り出すように適合されている。
【００４９】
一実施形態によれば、駆動装置３２は、エネルギーネットワークからその駆動力を受けるように、また、真空源の部分真空発生器３１が必要とする駆動力の少なくとも一部を作り出すように適合されている。
【００５０】
一実施形態によれば、真空源１は複数の異なる廃棄物搬送システムの真空源として機能するように適合されており、そのため、真空源は、各廃棄物搬送システムに近接した移動手段２により移送されて、接続手段によって廃棄物搬送システムに接続される。
【００５１】
一実施形態によれば、材料の投入点６１は、廃棄物容器又は廃棄物シュート等の廃棄物の投入点である。
【００５２】
一実施形態によれば、材料搬送配管は、少なくとも主搬送パイプ１００と、主搬送パイプ１００に接続することができる分岐搬送パイプ１００Ａ、１００Ｂ、１００Ｃ、１００Ｄ、１００Ｅ、１００Ｆとを含む。
【００５３】
一実施形態によれば、廃棄物搬送システムは特定エリア又は用地の廃棄物搬送システムである。
【００５４】
一実施形態によれば、本システムにおいて、コンテナー２５は、地上高さ位置へ／地上高さ位置から、コンテナーの上昇／下降装置２００によって上昇／下降するように構成される。
【００５５】
一実施形態によれば、接続手段２９が搬送パイプ１００に形成されており、分岐連結部２６のカウンターパート２７がコンテナー２５の上部に形成されており、接続手段２９及びカウンターパート２７はともにクイックカップリングを形成し、その場合、クイックカップリングはコンテナー２５の上昇及び下降の際に自動的に開く及び／又は閉じる。
【００５６】
一実施形態によれば、コンテナー２５にはプレス機が設けられる。
【００５７】
一実施形態によれば、材料成形機６４、好ましくは回転成形機が、廃棄物投入点６１と接続して、又は廃棄物投入点６１の後、かつ搬送パイプ１００の前に配置される。
【００５８】
また、本発明の目的は、廃棄物搬送システム用の真空源であって、部分真空発生器と、部分真空発生器の駆動装置と、また、真空源を材料搬送システムに接続する手段とを備える、廃棄物搬送システム用の真空源である。真空源１は、車両又はトレーラー等の移動手段２内に配置される。
【００５９】
一実施形態によれば、移動手段は車両であり、移動手段の駆動装置３２は、真空源３の部分空発生器３１が必要とする駆動力の少なくとも一部を作り出すように適合されている。
【００６０】
一実施形態によれば、真空源の駆動装置３２は電気モーターであり、その駆動力をエネルギーネットワークから受けるように、また、真空源の部分真空発生器３１が必要とする駆動力の少なくとも一部を作り出すように適合されている。
【００６１】
一実施形態によれば、真空源の部分真空発生器３１の駆動シャフト３３が、クイックカップリング３４、３６によって移動手段２の駆動装置３２から出ているカルダンシャフト３５に接続されるように構成される。
【００６２】
一実施形態によれば、移動手段２は少なくとも部分的に電動式の駆動モーターにより動作する車両であり、電気モーターの蓄電池は真空源が用いられると充電するように適合されている。
【００６３】
本発明は、上記で示された実施形態に限定されないが、添付の特許請求の範囲の範囲内で変えることができることが当業者に明らかである。他の特徴とともに本明細書において示された可能性のある特徴は、必要であれば互いに別々に使用することもできる。
【図１】
2013534498.tif 000003
【図１ａ】
2013534498.tif 000004
【図１ｂ】
2013534498.tif 000005
【図２】
2013534498.tif 000006
【図２ａ】
2013534498.tif 000007
【図３】
2013534498.tif 000008
【図４】
2013534498.tif 000009
【国際調査報告】
2013534498.tif 000010
2013534498.tif 000011
2013534498.tif 000012